(57)【要約】      （修正有）【課題】燃料の残量が無くなったときにタンク内に水が残らない小型の燃料タンク及び燃料電池システムを提供する。【解決手段】容器内部を燃料室１０１と水室１００とに区画する仕切り部材１０２を有し、前記燃料室１０１に発電セルに用いられる液体燃料よりも濃度の高い燃料を貯蔵する燃料電池用燃料タンクである。前記燃料室１０１及び水室１００は前記発電セルのアノードに前記燃料室１０１に貯蔵された前記液体燃料を給送する燃料給送口４０と前記水室１００に貯蔵された水を給送する水給送口４１とをそれぞれ備え、前記仕切り部材１０２は、前記水室１００に貯蔵された水を前記燃料室１０１に浸透可能な半透膜で構成された浸透部を備える。【選択図】図４Ａ
2005222760.tif 000002
【特許請求の範囲】
【請求項１】
内部を燃料室（１０１）と水室（１００）とに区画する仕切り部材（１０２）を有し、前記燃料室（１０１）に発電セル（２）に用いられる液体燃料よりも濃度の高い燃料を貯蔵する燃料電池用燃料タンクであって、
前記燃料室（１０１）及び水室（１００）は前記発電セル（２）のアノード（３）に、前記燃料室（１０１）に貯蔵された前記液体燃料を給送する前記燃料室に連通する燃料給送口（４０）と前記水室（１００）に貯蔵された水を給送する水室に連通する水給送口（４１）とをそれぞれ備え、
前記仕切り部材（１０２）は、前記水室（１００）に貯蔵された水を前記燃料室（１０１）に浸透可能な半透膜で構成された浸透部（１０４）を備えることを特徴とする、燃料電池用燃料タンク。
【請求項２】
前記半透膜はセロファン膜であることを特徴とする、請求項１に記載の燃料電池用燃料タンク。
【請求項３】
請求項１又は２に記載の燃料電池用燃料タンク（１０）と、
燃料を酸化するアノード（２）と、酸素を還元するカソード（５）と、前記アノードと前記カソードとの間に配置された電解質膜（４）とを有する発電セル（２）と、
前記燃料タンク（１０）の水給送口（４１）と連結可能に構成され、前記燃料タンクの水室（１００）と発電セルのアノード（３）とを連結する水供給管（７２）と、
前記燃料タンク（１０）の燃料給送口（４０）と連結可能に構成され、前記燃料タンク（１０）の燃料室（１０１）と前記発電セルのアノード（３）とを連結する燃料供給管（７１）と、
前記発電セルのカソード（５）から生成される水を前記水供給管（７２）を介して前記発電セルのアノード（３）に給送する水連結配管（７４）と、
前記発電セルのアノード（３）内の燃料の濃度を測定する濃度測定装置（１６）と、
前記水給送口（４１）から給送される水の量及び燃料給送口（４０）から給送される燃料の量を調整する給送量調整装置（６、７）と、
前記濃度測定装置（１５）により測定された前記アノード（３）内の燃料の濃度と前記カソード（５）から生成される水の量に基づいて前記アノード（３）内の燃料の濃度が所定の値になるように前記給送量調整手段（６、７）を制御する制御手段（１５）を備えることを特徴とする、燃料電池システム。
【請求項４】
前記水給送配管（７１）及び発電セルのアノード（３）の容積合計は、前記燃料タンク（１０）の水室（１００）の容量よりも小さく構成されていることを特徴とする、請求項３に記載の燃料電池システム。
【請求項５】
前記燃料タンクは、未使用時には、前記水室（１００）にはその容量よりわずかに少ない水を貯蔵し、前記燃料室（１０１）にはその容量の燃料を充填されることを特徴とする、請求項３又は４に記載の燃料電池システム。
【請求項６】
請求項３から５のいずれか１つに記載の燃料電池システムからの発電電力を主電力として使用する持ち運び可能な電子機器であって、
前記燃料タンク（１０）以外の部材を取り外し不可に搭載するとともに、
前記燃料タンク（１０）を取り外し可能に保持する保持部材を有することを特徴とする電子機器。
【発明の詳細な説明】
【技術分野】
【０００１】
本発明は、燃料電池に関し、特にメタノールなどの有機燃料をアノードに直接供給して発電する発電セルに用いられる燃料タンク及び発電セルを用いて発電を行うための燃料供給系等の補機とを備える燃料電池システムに関する。
【背景技術】
【０００２】
携帯電話、携帯型情報端末、ノート型パーソナルコンピュータ、携帯型オーディオ、携帯型ビジュアル機器など携帯用電子機器の普及が進んでいる。従来、このような携帯用電子機器は、一次電池又は二次電池によって駆動している。特に、二次電池としては、ニッカド電池又はリチウムイオン電池が用いられ、小型で高エネルギー密度を持つ電池が開発されている。しかし、二次電池は一定量の電力使用後に充電機器を用いて一定時間の充電をおこなう必要があるため、短い充電時間で長時間連続駆動が可能な電池が要望されている。
【０００３】
この要望に応えるため、充電を必要としない燃料電池が提案されている。燃料電池は、燃料の持つ化学エネルギーを電気化学的にエネルギーに変換する発電機である。このような燃料電池の例としては、パーフルオロカーボンスルフォン酸系の電解質を用いてアノード極で水素ガスを還元し、カソード極で酸素を還元して発電を行うという固体高分子形燃料電池（ＰＥＦＣ）が知られている。このようなＰＥＦＣは、出力密度が高い電池であるという特徴を有しており、その開発が進められている。
【０００４】
しかしながら、このようなＰＥＦＣに用いられる水素ガスは容積エネルギー密度が低く、燃料タンクの体積を大きくする必要があることや、燃料ガス、酸化ガスを発電セル（発電部）に供給する装置、電池性能を安定にするため加湿する装置などの補機が必要であり、燃料電池システムが大型になるため、携帯電子機器用の電源としては適さない。
【０００５】
一方、メタノールから直接プロトンを取り出すことにより発電を行う直接型メタノール燃料電池（ＤＭＦＣ）は、ＰＥＦＣと比較してその出力が小さくなるという欠点があるものの、燃料の体積エネルギー密度を上げることができることと、発電セルの補機を減らすことができるため小型化が可能となる。このため、携帯機器用電源として注目されており、幾つかの提案がなされている。
【０００６】
このＤＭＦＣにおける発電セル内でおこなわれるアノードの反応及び、カソードの反応は以下の通りである。
アノード：ＣＨ３ＯＨ＋Ｈ２Ｏ→６Ｈ＋＋６ｅ−＋ＣＯ２
カソード：６Ｈ＋＋６ｅ−＋３／２Ｏ２→３Ｈ２Ｏ
【０００７】
上記化学式に示すように、燃料電池を用いて発電することにより、アノードでは二酸化炭素が生成し、カソードでは水が生成する。よって、継続した発電を行うためには当該生成された二酸化炭素と水の処理を行うための補機を搭載した燃料電池システムを構成する必要がある。
【０００８】
このような従来のＤＭＦＣ方式の燃料電池システムの構成としては、米国特許第５５９９６３８号明細書（特許文献２、図１及び図２）などが例示できる。この燃料電池システムは、燃料としてのメタノール水溶液が収容された循環タンクからアノードに安定してメタノールを供給するために、ポンプを用いてアノードにメタノール水溶液を供給し、当該アノードで消費されなかった残りのメタノール水溶液を再び循環タンクに戻して回収し、再び燃料として使うという燃料循環方式が採用されている。
【０００９】
しかし、現在の燃料電池は、イオン交換膜の性質として、水素イオンを透過するだけでなく、燃料のメタノールをメタノールのまま直接イオン交換膜を透過してしまうクロスオーバーと呼ばれる不都合な問題がある。この場合には、カソードで、メタノールが充満してしまい、水素イオンを空気中の酸素の反応を低下させるため、発電効率を下げてしまう不都合がある。
【００１０】
そのための対策として、現在では、アノードに供給する燃料のメタノール濃度を１０ｗｔ％以下の比較的低濃度のメタノール水溶液を燃料として用いざるを得ない状況となっている。すなわち、アノードに供給される水とメタノールは上記反応式で示されるようにメタノール１モルに対し水１モルであるが、クロスオーバーの対策として、水の分量を多くして数％に希釈したメタノール水溶液を燃料電池セルに供給することとしている。
【００１１】
燃料電池セルに供給される数％のメタノール溶液をそのまま燃料タンクに貯蔵したのでは、体積効率が悪くなり、燃料タンクは非常に大きなものとなる。特に、燃料電池を主電源とする移動可能な電子機器は、なるべくシンプルで小型であることが要求されていることから、燃料電池システム自体の構成も小型にすることが求められる。
【００１２】
また、カソードで生成した水をすべて外部に排出したとすると、当該排出された水や水蒸気が、携帯機器に付着して電子機器に影響を及ぼしたり、例えばカバンやポケットに携帯機器を収納した場合、ポケットの中やカバンの中がぬれるといった問題が発生する。これらのような理由から、現在の燃料電池システムは、カソードから排出された水を回収装置で回収し、アノードに供給して燃料の希釈に再利用するという構成を取っている（特許文献１）。
【特許文献１】特表平１１−５１０３１１
【特許文献２】米国特許第５５９９６３８号明細書
【発明の開示】
【発明が解決しようとする課題】
【００１３】
しかし、カソードで発生する水は、発電が開始してはじめて発生するものであり、また、燃料の供給を受ける機器側も内蔵する燃料電池セル及びアノードに燃料を供給する経路の状態（希釈燃料が残留しているのか、空になっているのか）によって、供給する燃料の水とメタノールの比率を変えてメタノール水溶液を供給する必要が生じる。したがって、カソードで発生する水を燃料の希釈に用いるシステムであったとしても、燃料タンクにはメタノール希釈用の水を蓄えておくことが必要となる。
【００１４】
ところで、燃料希釈用にカソードで発生した水の再利用を考慮すると、タンクに貯蔵される水は発電開始時のメタノールの希釈に用いればよく、あとは、カソードで発生される水の再利用及びその不足分を補うだけで済み、タンクに貯蔵されている水はあまり消費されることがない。一方で、燃料タンクにおける発電の容量（寿命）を決めるのはメタノールの残量であり、燃料であるメタノールが完全に消費されれば、もはやその燃料タンクを用いて発電することができず、燃料タンクの交換又は燃料の補充をしなければならない。
【００１５】
このように、燃料電池セルに供給される燃料と水とを個別に貯蔵した燃料タンクでは、メタノールを使いきっても水が残る場合が起こってくる。このことは、消費者から見ればタンク内に液体が残っているにもかかわらず、燃料切れで発電することができなくなることとなり、このことを理解しない消費者にとっては、タンク内に液体が残っているにもかかわらず発電できないということから電池又は電器機器の故障と認識するという混同を生じ、市場トラブルの原因となる。この消費者の混同を防止するためには、メタノールの残量が無くなったときに水がタンク内に残らないようにすることが必要である。
【００１６】
したがって、本発明が解決しようとする技術的課題は、例えばメタノール等の液体燃料をアノードに直接供給しながら発電する燃料電池に用いられる燃料と水とを分離して格納する燃料電池タンクにおいて、小型に構成することができるとともに、燃料の残量が無くなったときにタンク内に水が残らない燃料タンク及び燃料電池システムを提供することである。
【課題を解決するための手段】
【００１７】
本発明の第１態様によれば、内部を燃料室と水室とに区画する仕切り部材を有し、前記燃料室に発電セルに用いられる液体燃料よりも濃度の高い燃料を貯蔵する燃料電池用燃料タンクであって、
前記燃料室及び水室は前記発電セルのアノードに、前記燃料室に貯蔵された前記液体燃料を給送する前記燃料室に連通する燃料給送口と前記水室に貯蔵された水を給送する水室に連通する水給送口とをそれぞれ備え、
前記仕切り部材は、前記水室に貯蔵された水を前記燃料室に浸透可能な半透膜で構成された浸透部を備える燃料電池用燃料タンクを提供する。
【００１８】
本発明の第２態様によれば、前記半透膜はセロファン膜である第１態様の燃料電池用燃料タンクを提供する。
【００１９】
本発明の第３態様によれば、第１又は第２態様の燃料電池用燃料タンクと、
燃料を酸化するアノードと、酸素を還元するカソードと、前記アノードと前記カソードとの間に配置された電解質膜とを有する発電セルと、
前記燃料タンクの水給送口と連結可能に構成され、前記燃料タンクの水室と発電セルのアノードとを連結する水供給管と、
前記燃料タンクの燃料給送口と連結可能に構成され、前記燃料タンクの燃料室と前記発電セルのアノードとを連結する燃料供給管と、
前記発電セルのカソードから生成される水を前記水供給管を介して前記発電セルのアノードに給送する水連結配管と、
前記発電セルのアノード内の燃料の濃度を測定する濃度測定装置と、
前記水給送口から給送される水の量及び燃料給送口から給送される燃料の量を調整する給送量調整装置と、
前記濃度測定装置により測定された前記アノード内の燃料の濃度と前記カソードから生成される水の量に基づいて前記アノード内の燃料の濃度が所定の値になるように前記給送量調整手段を制御する制御手段を備える燃料電池システムを提供する。
【００２０】
本発明の第４態様によれば、前記水給送配管及び発電セルのアノードの容積合計は、前記燃料タンクの水室の容量よりも小さく構成されている第４態様の燃料電池システムを提供する。
【００２１】
本発明の第５態様によれば、前記燃料タンクは、未使用時には、前記水室にはその容量よりわずかに少ない水が貯蔵され、前記燃料室にはその容量の燃料が充填されること第３又は第４態様の燃料電池システムを提供する。
【００２２】
本発明の第６態様によれば、第４又は第５態様の燃料電池システムの発電電力を主電力として使用する持ち運び可能な電子機器であって、
前記燃料タンク以外の部材を取り外し不可に搭載するとともに、
前記燃料タンクを取り外し可能に保持する保持部材を有する電子機器を提供する。
【発明の効果】
【００２３】
第１態様及び第２態様にかかる発明によれば、燃料タンクに水と燃料とを仕切って貯蔵し、仕切り部材に水室に貯蔵された水を燃料室に浸透可能な半透膜で構成された浸透部を有することにより、発電に伴い燃料が消費されると、燃料室に水が浸透する。したがって、燃料の消費と共に水の貯蔵量が減少し、燃料を完全に消費した場合に水室の水の残量もなくなることとなる。また、燃料の消費と共に燃料タンクに貯蔵された燃料の濃度は低くなるが、発電セルに用いられる燃料よりも濃度の高い燃料を用いるため、浸透部を通じて燃料室に移動する水による燃料の希釈はほとんど問題とならない。
【００２４】
第３態様にかかる発明によれば、制御手段により濃度測定装置により測定された濃度になるように給送量調整手段を制御し燃料室及び水室からの給送量を決定することができる。また、燃料タンクに貯蔵された水により燃料を希釈することができるため、カソードからの水が生成しない初期起動時において水不足を起こすことがない。
【００２５】
第４態様にかかる発明によれば、カソードからの水の供給がない燃料電子システムの初期起動時において、燃料を希釈するための水が不足することがなく、燃料を所定の濃度で発電セルに供給することができる。
【００２６】
第５態様にかかる発明によれば、水室には、容量よりわずかに少ない水が貯蔵されているため、温度変化などによる水の体積膨張によって燃料タンクに余計な圧力がかからないようにすることができると共に、燃料室には完全充填された燃料が貯蔵されているため、未使用時には燃料室に水が浸透せず、燃料室の燃料が希釈されることがない。すなわち、燃料タンクの使用により燃料室の燃料が消費され空間が形成されると、燃料室に水室の水が浸透する。したがって、未使用時において水室の水が少なくなることがなく、たとえば、初期起動時において、燃料希釈用の水が不足することがない。
【００２７】
第６態様にかかる発明によれば、耐久材である発電セルの配管を電子機器本体に、消費材である水と燃料を交換可能な外部供給部材とすることができ、燃料電池を主たる電源として電子機器システムを非常に安価に構築することができる。
【発明を実施するための最良の形態】
【００２８】
以下、本発明の各実施形態に係る燃料電池システムについて、図面を参照しながら説明する。
【００２９】
図１は、本発明の第１実施形態に係る燃料電池システムの概略構成図である。図１に示すように、燃料電池システム１は、燃料の持つ化学エネルギーを電気化学的に電気エネルギーに変換して発電を行なう発電部である発電セル２と、この発電に必要な燃料等を発電セル２に供給する等の補機系とを備えている。
【００３０】
発電セル２は、有機系の液体燃料の一例であるメタノール水溶液を燃料とし、このメタノールから直接的にプロトンを取り出すことにより発電を行なう直接型メタノール燃料電池（ＤＭＦＣ）である。図１に示すように、発電セル２は、アノード（燃料極）３、カソード（空気極）５、及び膜電極組立体４を備えている。アノード３は、供給されるメタノールに対して酸化反応を行ない、プロトンと電子を取り出す反応（アノード反応）を行なう。当該電子は、アノード３とカソード５とを電気的に接続する外部回路（図示なし）を通してカソード５へ移動し、当該プロトンは、膜電極組立体４を通してカソード５へ移動する。また、カソード５は、外部から供給される酸素と、アノード３より膜電極組立体４を通して移動してきたプロトンを、上記外部回路を通して流れてきた電子で還元して、水を生成する反応（カソード反応）を行なう。このようにアノード３にて酸化反応を、カソード５にて還元反応を夫々行ない、電極線に電子を流すことで発電する。
【００３１】
図２に図１の燃料電システムに用いられる発電セルの概略構成を示す。アノード３は、その内部に上記アノード反応に必要なメタノール水溶液を供給させるための燃料供給口２０３及び、当該アノード反応により生成された二酸化炭素や、当該反応に用いられなかった残りのメタノール水溶液を上記内部より排出するための排出口２０５を備えている。
【００３２】
また、カソード５は、上記カソード反応の実施のために用いられる酸素を供給するために、例えば、空気を用い、当該空気をその内部に供給するための空気供給口２０１と、当該カソード反応にて生成される生成物の一例である水（液相又は気相のいずれの状態、あるいは夫々の状態が混在した状態のいずれの場合をも含む）及び、反応に用いられなかった空気を排出するための排出口２０２とを備えている。なお、この生成物は水を主成分として含むものであるが、その他に、ギ酸、ギ酸メチル、及びメタノール（後述するクロスオーバーによる）等も含まれる場合がある。
【００３３】
当該電子は、アノード３とカソード５に設けられた電極８６、８７と電気的に接続する電極線８６ａ，８７ａを通してカソード３へ移動し、当該プロトンは、膜電極組立体４を通してカソード５へ移動する。また、カソード５は、外部から供給される酸素と、アノード３より膜電極組立体４を通して移動してきたプロトンを、上記外部回路を通して流れてきた電子で還元して、水を生成する反応（カソード反応）を行なう。このようにアノード３にて酸化反応を、カソード５にて還元反応を夫々行ない、電極線８６ａ，８７ａに電子を流すことで発電する。
【００３４】
発電セル２における膜電極組立体４は、例えば、電解質膜８３として、Dupont社製のナフィオン１１７（商品名）を用い、電解質膜８３の一方の表面に、アノード３のアノード触媒８２として、炭素系粉末担体に白金とルテニウム、あるいは白金とルテニウムの合金を分散させて担持したものを形成し、他方の表面に、カソード５のカソード触媒８４として、炭素系担体に白金微粒子を分散担持したものを形成する。膜電極組立体４の両端には、例えばカーボンペーパーからなる電極兼拡散層８１、８５を上記アノード触媒８２及び上記カソード触媒８４の夫々に密着させた後、アノードセパレータ９０及びカソードセパレータ８０を介してハウジング２ｘに固定することにより組み上げられる。
【００３５】
図３Ａ及び図３Ｂは、カソードに用いられるセパレータの構成を示す図である。セパレータ８０、９０は、厚み方向に扁平な非導電性材料の板状本体８０ａで構成され、その一方の表面に溝８０ｂが設けられている。以下、カソードを例として説明するが、アノードも同様の組立構造を有する。カソードセパレータ８０と膜電極組立体４は、溝が設けられている側の表面をカソード電極兼拡散層８５に押圧するように接触し、溝８０ｂとカソード電極兼拡散層８５とで囲まれる領域を空気の通路として画定する。カソードセパレータ８０の表面に設けられた溝８０ｂは、板状本体８０ａの上端一方端部と上端他方端部との間を蛇行して設けられている。また、カソードの空気供給口２０１に接続する導入口８０ｃとカソードの排出口２０２に接続する排出口８０ｄにつながっているため、カソードの空気供給口２０１から供給された空気は、導入口８０ｃから溝８０ｂを通り、排出口８０ｄを経由してカソードの排出口２０２から外部に放出される。
【００３６】
なお、アノード側のセパレータは、後述するようにメタノール及び水を加えてアノード内の燃料の濃度を制御するため、カソード側セパレータのように蛇行した流路構造を取らず、例えば、アノードの下端から上端までを一方向に流れる流路等を備えた断面波形状のセパレータなどを使用する。
【００３７】
次に、燃料電池システム１の上記補機系の構成について説明する。上記補機系の構成としては、発電セル２のアノード３にメタノール水溶液を供給するための補機構成と、カソード５に空気を供給するための補機構成と、カソード５で生成された排出物を回収するための補機構成とが備えられている。
【００３８】
図１に示すように、上記燃料供給のための補機構成としては、メタノール水溶液を液体燃料原液としてアノード３に供給可能に収容する燃料タンク１０と、燃料タンク１０とアノード３とを接続する燃料供給管７１と、燃料供給管７１の途中に設けられた燃料ポンプ６と、燃料タンクの水室とアノードを接続する水供給管７２と水供給管の途中に設けられた水ポンプ７とを備えている。
【００３９】
燃料タンク１０は、図４Ａ及び図４Ｂに示すように、ポリカーボンで成形加工された容器本体１１で構成され、仕切り板１０２によって、水室１００と燃料室１０１に区画されている。水室１００と燃料室１０１には、それぞれ発電セル２のアノードに水及び燃料を供給する水供給管７２及び燃料供給管７１に連結する水給送口４１、燃料給送口４０を備えている。
【００４０】
水室１００と燃料室１０１とを区画する仕切り板１０２は、容器本体と一体的に構成されたフレーム部１０３とフレーム部１０３により固定された浸透部１０４とを備える。
【００４１】
本実施形態において、燃料室１０１及び水室１００の容積はおのおの１００ｍｌとした。燃料室１０１には使用初期時において液体燃料原液が燃料室１０１内にほぼ充満する量が貯留されている。液体燃料原液としては、メタノールやエタノール、ジメチルエーテル及びこれらの水溶液などが使用可能であるが、本実施形態では、６４ｗｔ％のメタノールを用いている。
【００４２】
水室１００は使用初期には、純水９５ｍｌが封入されている。完全充填しないのは輸送中の温度変化による体積膨張を考慮したものである。水室１００の容積は、後述するように、発電セルのアノードの容積及び水供給管７２の合計容積よりも大きくすることが好ましく、具体的にはこれらの容積を７０ｍｌとしている。
【００４３】
仕切り板１０２は燃料室１０１と水室１００とを分割するためのものであり、水飲みを透過可能な半透膜で構成された浸透部を有する。浸透部は、厚さ０．１３ｍｍの半透膜で構成されており、水室内の水を燃料室内へ浸透可能に構成されている。材料としてはメタノール分子よりも小さい水の分子が透過する隙間を有する高分子材料を使用可能であり、例えば、セロファンなどが使用できる。仕切り板１０２は、水室１００内に貯蔵されている水の量が少なくなっても浸透部１０４と水とが接触できるように、仕切り板１０２の大部分が浸透部１０４となるように構成されている。また、燃料タンクを電子機器に固定する場合に、電子機器の使用時において、水平に２室を仕切るように構成することにより、水の量が少なくなっても水と浸透部とを接触させることができる。
【００４４】
半透膜のセロファンで構成された浸透部１０４は高濃度メタノール水溶液に水が拡散透過していく作用を有するので、燃料室１０１の中のメタノールが発電セルに供給され燃料室１０１に空間が出来ると、水室１００の水が拡散される。上記のように、初期状態では、燃料室１０１は完全充填されているため、水が燃料室１０１へ拡散・透過していくことはない。発電により燃料室のメタノールが消費され、燃料室１０１に空間が生じると、その空間の部分に水室１００の水が浸透していき、メタノールの濃度勾配により常に水室１００の水が燃料室１０１に供給される構成になっている。
【００４５】
燃料給送口４０は、発電セル２のアノード３側に接続する水給送管７１と連結可能なコネクタを備えており、非連結時は燃料室１０１内のメタノールが漏れ出さないようにするとともに、連結時には燃料室１０１内のメタノールを発電セル２のアノードに給送することができる。このときの液体燃料の給送のための推力は、燃料供給管７１に設けられた燃料ポンプ６により創出される。
【００４６】
水給送口４１は、発電セル２のアノード３側に接続する水給送管７２と連結可能なコネクタを備えており、被連結時は水室１００内の水が漏れ出さないようにするとともに、連結時には水室１００内の水を発電セル２のアノードに供給可能となる。水給送口４１を通って発電セル２に供給される水の量を制御するために、水ポンプ７が設けられている。
【００４７】
図５に水給送口及び燃料給送口に設けられているコネクタの概略構成を示す。コネクタはプラグ部とソケット部とから構成されており、水又は燃料給送口４０，４１に設けられているコネクタは、水又は燃料の給送管７１，７２の端に設けられているコネクタと連結可能な組み合わせとなるようになっている。図５（ａ）はプラグ部を、（ｂ）はソケット部の構造を示す断面図である。図６は結合時の構造を示す断面図である。
【００４８】
プラグ部は、プラグ本体１５０にバルブ１５３が進退可能に設けられており、分離時にはバルブ１５３に設けられたパッキン１５４で密閉されている。バルブ１５３はバルブホルダ１５１によって保持されており、スプリング１５２によって、バルブ本体１５０の先端側へ付勢されている。バルブ１５０の先端１５５は、パッキン１５４よりも突出して設けられており、後述するように、ソケット部と連結したときには、ソケット部のバルブ１６３の先端１７０と接触してバルブ１５０が押しこまれ、液体が流動可能となる。
【００４９】
ソケット部は、プラグ部と同様に、ソケット本体１６０にバルブ１６３が進退可能に設けられており、分離時にはバルブ１６３に設けられたパッキン１６４で密閉されている。バルブ１６３はバルブホルダ１６１によって保持されており、スプリング１６２によって、バルブ本体１６０の先端側へ付勢されている。
【００５０】
図６に示すように、ソケット部とバルブ部が連結した時はソケット部のスリーブ１６７をソケットの根本側に動かしたままにプラグ部を押し込むと、スリーブスプリング１６６の力でスリーブが元の位置に戻り、スチールボール１６８がロックされて両者が連結する。この時ソケット側のバルブ先端１７０とプラグ側のバルブ先端１５５がお互いに押し合って通路が開き液体が流れる構造であり、外部への流体の漏れはＯリング１６５でシールされる。分離させたい時は、ソケットのスリーブ１６７をソケット側に動かすとスチールボール１６８が外側へ移動可能となり、ソケット部およびプラグ部のバルブスプリング１５２、１５３の反力でプラグがソケットから分離する。分離と同時にソケット側およびプラグ側ともにバルブが閉まり液体の流れを止める。このため、切り離している時も接続しているときも液体の漏れを防ぎ安全に燃料補給をすることができる。
【００５１】
また、例えば燃料タンク２の水給送口４１にはプラグ形状、燃料供給口４０にはソケット形状のものを用い、水給送管７２の端部のコネクタ１２５にはソケット形状、燃料給送管７１の端部のコネクタ１２６にはプラグ形状のものを用いることにより、燃料タンクを取り付ける組み合わせが一通りに決まり、メタノールを水給送管７２に供給するような問題を防止することができる。
【００５２】
水給送管及び燃料給送管には、それぞれ流動する液体が逆流しないように逆止弁１２ａ，１２ｂが設けられており、燃料給送管７１と水給送管７２とは合流し、メタノールと水とが混合した状態でアノードに到達する。アノード３内のメタノール濃度を測定するためにアノード内には濃度センサ１６が設けられている。
【００５３】
発電セルのアノード内のメタノールを所定の濃度とするために、燃料ポンプ６及び水ポンプ７を制御する燃料制御部１５が設けられている。燃料制御部１５は、濃度センサ１６により検出されたアノード内のメタノール濃度に基づいて、アノード内のメタノール水溶液が所定の濃度となるように、水ポンプ７及び燃料ポンプ６を制御する。制御例としては、例えば、アノード内のメタノール水溶液の濃度が所定範囲を越えている場合は、水の給送量を多くするように水ポンプを駆動させる、又は、燃料室からの燃料を少なくするように燃料ポンプを駆動させるなどの制御を行い、メタノール濃度を低くするように制御する。一方、アノード内のメタノール濃度が下がれば高濃度である燃料（メタノール）を供給し、供給しすぎて濃度が上がりすぎると水を供給する。
【００５４】
次に、上記空気供給の補機構成としては、カソード５の空気供給口２０１にその一端が接続された酸素供給用通路の一例である空気供給管７３と、空気供給管７３の途中に配置され、空気供給管７３を通して、空気をカソード５内に供給する酸素供給装置の一例（あるいは空気供給ポンプの一例）である空気ポンプ８とが備えられている。この空気ポンプ８としては、小型でかつ消費電力が小さいものを用いることが好ましく、例えば、モータ式ポンプ（逆止弁付、吐出量：０〜２Ｌ／分、吐出圧力：３０ｋＰａ）を用いており、使用時は、例えば、１Ｌ／分で空気を供給する。また、発電セル２にて発電が行なわれる際に、空気ポンプ８が駆動されてカソード５内に必要な酸素が供給され、当該発電が停止されるときには、空気ポンプ８の駆動が停止されることとなる。なお、発電停止の際には、燃料ポンプ６及び水ポンプ７が停止することにより、燃料の供給も停止される。
【００５５】
上記水を回収するための補機構成としては、カソード５の排出口２０２と、水給送管７２とをそれぞれ連結する水連結配管７４を備える。カソード５にて生成された水は、水給送管７２に送られ、水給送管を介して再度アノード３に供給されて再利用される。水給送管７２を流れる水が水連結配管７４に２逆流しないように、水連結配管７４には、逆止弁１１が設けられている。
【００５６】
水連結配管７４における水の流通の推力は、空気ポンプ８の駆動によるカソード５内の加圧により、カソード５内で生成された排出物が排出口２０２を通して水連結配管７４内に送り出されることにより行なわれる。
【００５７】
図１の燃料電池システム１には、夫々の装置や構成機器の動作を制御する制御装置（図示なし）が備えられている。
【００５８】
次に、図１の燃料電池システム１において発電が行なわれる場合の各構成機器の動作について説明する。
【００５９】
まず、図１の燃料電池システム１において、空気ポンプ８が駆動し、空気供給管７３、空気供給口２０１を通してカソード５に空気、すなわち、酸素が供給される。カソードを通った空気は水連結配管７４に送り込まれる。
【００６０】
また、水ポンプ７及び燃料ポンプ６が駆動することにより、アノード３にメタノール水溶液が供給される。アノードでは上述のアノード反応が進行し、カソード５においてはカソード反応が進行する。これにより、アノード３とカソード５との間、すなわち、発電回路に電力が発生する。アノード３にて上記アノード反応が進行することにより生成された二酸化炭素は、排出口２０５を通して、外部に放出される。
【００６１】
一方、カソード５で反応が行なわれることにより生成された水と空気を含む排出物は、カソード５内が空気ポンプ８により加圧されていることにより、排出口２０２を通して水連結配管７４に送り出される。一方アノードでは、上記発電が行なわれることにより、アノード３内のメタノール水溶液メタノール及び水が消費される。
【００６２】
燃料電池システムの動作に関して、まず燃料電池システム１を初期起動する場合を説明する。燃料電池システムの初期起動時には、発電セル２のアノード３及び水供給管７２には空気が充満しているだけで、燃料は入っていない。この状態は電子機器を長期間使用しなかった場合も同じである。例えば、工場で出荷検査を行ったときに燃料を供給して動作確認を行った後でも、長期間保存状態で待機していると、発電セルの気液分離膜から燃料の蒸発作用が起きてほぼ燃料供給管７１内の燃料は蒸発しきっているのが普通である。したがって、ここでの初期起動には、長期間保存状態での待機時を含むものとする。
【００６３】
なお、初期起動時におけるメタノール及び水の供給を可能とするため、このアノード３と水供給管７２の容積は外部供給される燃料タンクの水の容積より若干少なくなるように設計し、本実施例では、このアノード３とそれに至る水供給管７２の合計の容積を７０ｍｌとした。
【００６４】
初期起動に際しては、まず燃料タンク１０の水供給口４１に水供給路のコネクタ１２５を接続し、水ポンプ７で水を６０ｍｌ汲み上げ、アノード３に供給し、遅れて燃料タンク１０の燃料供給口４０に燃料供給管７１のコネクタ１２６を接続して燃料ポンプ６でメタノールを約１０ｍｌ汲み上げ、アノード３に供給した。
【００６５】
その結果、アノードでは約５ｗｔ％のメタノール水溶液が供給され、アノードの触媒作用により水素の電子とイオンが分離され、イオンが膜電極組立体４を通り、電子が電子機器の電子回路に流れることにより発電が開始する。
【００６６】
電子機器の使用する発電電力に対して、例えば、毎分０．３ｍｌのメタノールを燃料タンクの燃料室１０１から供給してイオン化することにより必要な電力を得ることができる。このときこの消費したメタノールとほぼ３倍の水がカソード５の中で発生するため、その水をアノードに供給して再利用することにより、起動以後の燃料タンクからの水の供給は、理論的には不要となる。しかし反応によって生成された水は気体であり、冷却して液体にする必要がある。メタノールがクロスオーバーしてカソード側で酸化するために発生する熱、メタノールの水とで炭酸ガスを発生する反応熱、カソードでの水を生成する反応熱などにより発電セルは６０度以上の高温になっているために、冷却効率を出来るだけ上げて、少なくとも１／３の水をアノードに供給して再利用する。もし１／３以下の効率で水が回収される場合は、燃料タンクの水室の水をアノードに供給する必要がある。
【００６７】
メタノールの消費により形成される空間には、連続的に水室から水が浸透する。このときの燃料タンク１０の水室と燃料室に貯蔵される流体の容積の時間変化の説明図を図７に示す。一般的にメタノール１００ｍｌを貯蔵し、１０数Ｗ出力であれば、燃料タンクのメタノールは、数時間維持されるために、メタノールが完全に消費されるよりも前に水が浸透部を通って燃料室に浸透するには十分である。
【００６８】
起動時直前には、メタノール１００ｍｌと水９５ｍｌが燃料タンク１０に貯蔵されていたが、起動準備で燃料を本体に導入することにより、メタノールは９０ｍｌ及び、水３５ｍｌが燃料タンクに残存する。その後、燃料タンクからメタノールが供給され、水はカソードから発生したものでほぼ十分であるため、燃料タンクの水は、ほぼ３５ｍｌ残ることとなる。
【００６９】
燃料タンク１０のメタノールと水の仕切り板１０２が半透膜で構成されているため、メタノールの消費により燃料室１０１に生じる空間に水室１００に残存した水が浸透する。このように、メタノールの消費に応じて水室１００に残存する水が燃料室１０１に移動するため、燃料室のメタノールの消費に伴い、水室に残存する水の量が減少する。その結果、燃料タンクのメタノールを完全に消費したときには、水室の水も残らないこととなる。なお、上記のように、アノードに供給されるメタノール水溶液（約５ｗｔ％）に対して、燃料室に著像されるメタノール（約６４ｗｔ％）が十分高濃度であるため、水室１００から浸透した水によって希釈された場合でも、燃料タンクのメタノールを用いて発電することにほとんど影響を及ぼさない。
【００７０】
次に、燃料タンクが電子機器使用状態の途中で燃料切れが生じた場合など、発電中断に時間が短い場合について説明する。例えば、燃料タンクのメタノールを完全に消費し、燃料切れをおこした場合、燃料タンクは即時新しい満タンに充填された燃料タンクと交換することとなる。この場合は、発電セル２のアノード３中の燃料を廃棄することなく、新しい燃料タンクのメタノールだけを供給すれば十分で、不要な発電の停止を選択する必要がない。
【００７１】
したがって、メタノールの消費は、毎分約０．３ｍｌであり、消費したメタノールの分水が燃料室１０１に浸透する。すなわち、メタノールが消費していけば、その空間部分に水が透過・拡散していき水の残分が残ることはない。ただし、初期起動時の場合と異なり、アノードで消費される水の補給として空気室で生成される水の再利用の割合を燃料タンク１０の水の容積分少なくすることが好ましく、これらは燃アノード３のメタノール水溶液の濃度管理と水供給管７２及び燃料供給管７１を流動する流体の量を水及び燃料ポンプ６、７の駆動能力を制御することにより達成される。なおこの場合も、アノードに供給されるメタノール水溶液（約５ｗｔ％）に対して、燃料室に著像されるメタノール（約６４ｗｔ％）が十分高濃度であるため、水室１００から浸透した水によって希釈された場合でも、燃料タンクのメタノールを用いて発電することにほとんど影響を及ぼさない。
【００７２】
これらの動作が連続的にかつ繰り返して行なわれることにより、発電セル２にて必要な電力量（所定の電力量）の発電が継続的に行なわれる。一方、燃料電池システム１にて発電を停止する際には、空気ポンプ８を停止するとともに、燃料制御部１５の停止と共に燃料ポンプ６及び水ポンプ７も停止する。
【００７３】
図８は、図１燃料電池システムをノート型パーソナルコンピュータ用の電池として用いる場合の模式斜視図である。本実施形態の燃料電池システム１は、燃料タンクに高濃度の燃料を貯蔵することにより燃料タンクを小型に構成することができ、また、カソードからの水を再利用するため水分の外部放出がなく、携帯電子機器などに好適に用いることができる。図８に示すように燃料電池システム１は、燃料タンク１０のみをビスなどの手段によりパーソナルコンピュータ本体２００に取り外し可能に固定する一方、燃料電池システム１の他の構成部品をパーソナルコンピュータ本体内に搭載することにより、耐久財である発電セル及び配管を電子機器本体に、消費材である水と燃料を交換可能な外部供給部材とすることができ、燃料電池を主たる電源とするコンピュータを非常に安価に構築することができる。また、小型に構成することができるため、ノート型パーソナルコンピュータの本体に付属させた場合であっても、携帯の邪魔にならず好適に用いることが可能となる。
【００７４】
以上のように燃料タンクを電子機器に取付可能に構成する一方、発電セル及び他の補機の搭載を電子機器に搭載する構成をとることにより、燃料電池を構成する部分の体積を効率よく小型に設計できる。
【００７５】
また、水が燃料側に浸透可能な半透膜で構成された浸透部を有する仕切り板で燃料タンクを仕切ることにより、主たる燃料のメタノールが完全に消費された時点で水が無くなっているという明快な残量表示が可能である。
【００７６】
燃料タンク内の水は、発電セルで生じるクロスオーバーの対策のために、アノードのメタノール濃度を下げるだけの水の量で十分である。そのためにアノード３と水供給管７２の容積の総和にほぼ匹敵する容積の水を燃料タンク１０に貯蔵した。現在の触媒・イオン透過膜の性能からすると、５ｗｔ％前後が燃料として最適なメタノール濃度であるので、水６０ｍｌと５０％ｍｏｌ濃度のメタノールを１０ｍｌ供給した例を示したがこれに限るものではない。
【００７７】
なお、本発明は上記実施形態に限定されるものではなく、その他種々の態様で実施可能である。
【００７８】
上記実施の形態において、拡散層にはカーボンペーパーを使用しているが、他の材料を使用してもよい。例えば、例えばステンレス材料からなる発泡金属を用いることもできる。
【図面の簡単な説明】
【００７９】
【図１】本発明の第１実施形態に係る燃料電池システムの概略構成図である。
【図２】図１の燃料電池システムに用いられる発電セルの概略構成を示す図である。
【図３Ａ】図１の発電セルのカソードに用いられるカソード側セパレータの構成を示す平面図である。
【図３Ｂ】図３ＡのＡ−Ａ’断面図である。
【図４Ａ】図１の燃料電池システムに用いられる燃料タンクの構成を示す外観斜視図である。
【図４Ｂ】図１の燃料電池システムに用いられる燃料タンクの構成を示す断面図である。
【図５】図１３の燃料タンクと燃料供給管及び水供給管の連結に用いられるコネクタの具体例を示す断面図であり、（ａ）はプラグ部、（ｂ）はソケット部である。
【図６】図５のプラグ部とソケット部が連結した状態の図１１の接続器の断面図である。
【図７】図１の燃料電池システムの初期起動時における水室及び燃料室の容量の経時変化を示すグラフである。
【図８】図１の燃料電池システムを燃料電池パックとして、ノート型パーソナルコンピュータ用の電池として用いる場合の模式斜視図である。
【符号の説明】
【００８０】
１  燃料電池システム
２  発電セル
３  アノード
４  膜電極組立体
５  カソード
６  燃料ポンプ
７  水ポンプ
８  空気ポンプ
１０  燃料タンク
４０  燃料給送口
４１  水給送口
７１  燃料供給管
７２  水給送管
７３  空気供給管
７４  水連結配管
１００  水室
１０１  燃料室
１０２  仕切り板
１０３  フレーム部
１０４  浸透部
【図１】
2005222760.tif 000003
【図２】
2005222760.tif 000004
【図３Ａ】
2005222760.tif 000005
【図３Ｂ】
2005222760.tif 000006
【図４Ａ】
2005222760.tif 000007
【図４Ｂ】
2005222760.tif 000008
【図５】
2005222760.tif 000009
【図６】
2005222760.tif 000010
【図７】
2005222760.tif 000011
【図８】
2005222760.tif 000012